(57)【特許請求の範囲】
【請求項１】
車体フレームに揺動可能に支持されたリンクの揺動端部に後輪を有するユニットスイング式動力ユニットを揺動自在に支持させたスクータ型自動二輪車において、前記動力ユニットのエンジンに１軸式のバランサを設け、前記バランサは、クランク軸との間に偶力が生じることによって、側面視において重心を中心とする仮想円に沿う方向へ動力ユニット単体が振動するように構成され、前記リンクと車体フレームとの連結部と、前記リンクと動力ユニットとの連結部とを、側面視において後輪の接地点から動力ユニットの重心を通って延びる仮想線に沿うように配置してなるスクータ型自動二輪車。
【請求項２】
車体フレームに揺動可能に支持されたリンクの揺動端部に後輪を有するユニットスイング式動力ユニットを揺動自在に支持させたスクータ型自動二輪車において、前記動力ユニットのエンジンに１軸式のバランサを設け、前記バランサは、クランク軸との間に偶力が生じることによって、側面視において重心を中心とする仮想円に沿う方向へ動力ユニット単体が振動するように構成され、前記リンクと車体フレームとの連結部と、前記リンクと動力ユニットとの連結部と、後輪の接地点とが側面視において略一直線上に並ぶように構成してなるスクータ型自動二輪車。
【発明の詳細な説明】
【０００１】
【発明の属する技術分野】
本発明は、車体フレームにリンクを介してユニットスイング式動力ユニットを揺動自在に支持させたスクータ型自動二輪車に関するものである。
【０００２】
【従来の技術】
従来のこの種のスクータ型自動二輪車としては、例えば特公平３−７５３９５号公報に開示されたものがある。この公報に示されたスクータ型自動二輪車は、動力ユニットの前端部と、車体フレームにおける前記動力ユニットの前端部と対向する部位とがリンクによって連結されている。
【０００３】
前記動力ユニットは、エンジンと伝動ケースとが一体的に形成され、この伝動ケースの後端部に後輪が設けられている。
前記リンクは、前記エンジンの前端部から前下がりに傾斜して延びるように設けられ、車体前側の下端部が車体フレームにおける前記エンジンの前側下端部と対向する部位に連結されている。また、リンクとエンジンおよび車体フレームとの連結部分には、振動低減用のダンパーゴムがそれぞれ介装されている。すなわち、リンクは、このダンパーゴムの弾性変形分だけ車体フレームおよび動力ユニットに対して揺動する。
【０００４】
一方、スクータ型自動二輪車に用いるエンジンは、一般に単気筒型のものが用いられており、運転時の振動を低減させるために、例えばクランク軸の後上方に１軸式のバランサが設けられている。このように１軸式のバランサを備えた単気筒エンジンは、バランサがクランク軸から径方向に離間されていることが起因してこれら両者の間に偶力のモーメントが生じる。このエンジンを装備した動力ユニットは、単体の状態では、側面視において、重心を中心とする仮想円に沿う方向へ回動するような振動が生じることが知られている。
【０００５】
また、動力ユニットの振動は、上述したようにクランク軸とバランサとの間に生じる偶力が原因となって生じる他に、後輪から加えられる加速時の反力や減速時の反力などによっても生じることもある。
【０００６】
【発明が解決しようとする課題】
スクータ型自動二輪車は、女性でも手軽に乗ることができるものであり、振動が少なくなって乗り心地がより一層向上するように要請されている。しかし、上述したように構成された従来のスクータ型自動二輪車は、走行時に動力ユニットから車体フレーム側に伝達される振動が大きく、乗り心地を改善するにも限界があった。このように動力ユニットから伝達される振動が大きくなるのは、動力ユニットと車体フレームとを連結するリンクが揺動し難いからであると考えられる。
【０００７】
すなわち、動力ユニットは、運転時には、前記偶力のモーメントが原因となって生じる振動や、後輪から加えられる加速時の反力や減速時の反力が原因となって生じる振動により、後輪を中心にして揺動するようになる。しかし、前記リンクは、動力ユニットの前端部から前下がりに延びているから、上述したように揺動する動力ユニットの前端部を押さえるようになる。この結果、リンクが揺動し難くなり、このリンクを介して動力ユニットの振動が車体フレームに伝達されてしまう。
【０００８】
本発明はこのような問題点を解消するためになされたもので、動力ユニットからリンクを介して車体フレームに伝達される振動を低減することにより、乗り心地をより一層向上させることを目的とする。
【０００９】
【課題を解決するための手段】
この目的を達成するため、本発明に係るスクータ型自動二輪車は、動力ユニットのエンジンに１軸式のバランサを設け、前記バランサは、クランク軸との間に偶力が生じることによって、側面視において重心を中心とする仮想円に沿う方向へ動力ユニット単体が振動するように構成され、リンクと車体フレームとの連結部と、前記リンクと動力ユニットとの連結部とを、側面視において後輪の接地点から動力ユニットの重心を通って延びる仮想線に沿うように配置したものである。
動力ユニットは、クランク軸とバランサとの間に偶力が生じるときには、単体では側面視において重心を中心とする仮想円に沿う方向へ振動する。しかし、車体に搭載して後輪が接地されている状態では、動力ユニットは、主に側面視において後輪の接地点と重心とを結ぶ仮想線に対して略直交する方向に沿って振動する。このため、本発明に係るスクータ型自動二輪車によれば、リンクの長手方向が動力ユニットの振動方向とは略直交する方向になり、リンクが動力ユニットに追従して揺動する。
【００１０】
請求項２に記載した発明に係るスクータ型自動二輪車は、動力ユニットのエンジンに１軸式のバランサを設け、前記バランサは、クランク軸との間に偶力が生じることによって、側面視において重心を中心とする仮想円に沿う方向へ動力ユニット単体が振動するように構成され、リンクと車体フレームとの連結部と、前記リンクと動力ユニットとの連結部と、後輪の接地点とが側面視において略一直線上に並ぶように構成したものである。
走行時に動力ユニットが後輪から加えられる加速時の反力や減速時の反力などによって振動するときには、この振動の方向は、後輪の接地点を中心とする仮想円に沿う方向になる。このため、本発明に係るスクータ型自動二輪車によれば、後輪から加えられる加速時の反力や減速時の反力により動力ユニットが振動するときの振動方向とは略直交する方向にリンクが延びるようになり、リンクが動力ユニットに追従して揺動する。
【００１１】
【発明の実施の形態】
以下、本発明に係るスクータ型自動二輪車の動力ユニット支持装置の一実施の形態を図１ないし図１５によって詳細に説明する。
図１は本発明に係るスクータ型自動二輪車の側面図、図２は車体フレームの平面図、図３は上部フレームの前側半部の側面図、図４は同じく平面図である。図５は上部フレームの後側半部の側面図、図６は同じく平面図である。図７は下部フレームの側面図、図８は同じく平面図である。図９は図３における左側ダウンフレームのIX−IX線断面図、図１０は図５における車体左側の前後方向延在部のX−X線断面図、図１１は図５における車体左側の前後方向延在部のXI−XI線断面図である。図１２は車体フレームの斜視図、図１３は図５におけるXIII−XIII線断面図、図１４は図１３におけるXIV−XIV線断面図、図１５はリンクを設ける位置を説明するための側面図である。
【００１２】
これらの図において、符号１で示すものは、この実施の形態によるスクータ型自動二輪車（以下、単にスクータという）である。このスクータ１は、後輪２を有するユニットスイング式動力ユニット３が車体フレーム４の後部に本発明に係るリンク５を介して上下方向に揺動自在に支持されている。図１において、６は前輪を示し、７はフロントフォーク、８は操向ハンドル、９はシート、１０は車体カバーを示す。
【００１３】
前記動力ユニット３は、従来からよく知られているものと同等のもので、エンジン１１と伝動ケース１２とが一体的に形成され、前記伝動ケース１２の後端部に後輪２が支持されている。この後輪２は、伝動ケース１２内に設けたＶベルト式自動変速機（図示せず）を介してエンジン１１から動力が伝達される。
【００１４】
図１において、伝動ケース１２の上方に設けた符号１３で示すものは、エンジン１１のエアクリーナである。この動力ユニット３は、クランクケース１４の上部が本発明に係るリンク５を介して車体フレーム４に揺動自在に連結され、伝動ケース１２の後端部がリヤクッションユニット１５を介して車体フレーム４の後端部に接続されている。このリヤクッションユニット１５も従来からよく知られているものと同等の構造で、図示してはいないが、クッションスプリングと油圧式ダンパーとを備えている。
【００１５】
また、前記エンジン１１は、図１５に示すように、クランク軸１６より車体後側の上方に１軸式のバランサ１７が設けられている。このため、この動力ユニット３は、単体では側面視において重心Ｇを中心とする仮想円に沿う方向へ振動し、車体に搭載されて後輪２が路面１８に接地されている状態では、主に、側面視において後輪２の接地点Ｐと重心Ｇとを結ぶ仮想線Ｌに対して略直交する方向へ振動する。この仮想線Ｌは、図１５においては、車体の前後方向に幅をもたせて描いてある。これは、乗員の体重や、燃料や荷物の重量などによって車体フレーム４の高さが変化するからである。なお、図１５に示す仮想線Ｌは、標準体重の成人男性が一名乗車したときの状態で描いてあり、また、この状態に基づいて設計される。
【００１６】
前記車体フレーム４は、前記フロントフォーク７および操向ハンドル８を回動自在に支持するヘッドパイプ２１から足乗せ部２２およびシート９の下方を通って車体の後端部まで延びる上部フレーム２３と、この上部フレーム２３の途中から下方へ延びる下部フレーム２４とによって構成されている。前記上部フレーム２３は、アルミニウム合金によって形成され、下部フレーム２４は、鉄系合金によって形成されている。すなわち、この車体フレーム４は、一部を相対的に軽量なアルミニウム合金により形成することによって軽量化が図られている。
【００１７】
前記上部フレーム２３は、ヘッドパイプ２１から足乗せ部２２まで延びる前側半部２５と、この前側半部２５の後端部に溶接して車体の後端部まで延びる後側半部２６とに分けて形成されている。前記前側半部２５は、図３および図４に示すように、ヘッドパイプ２１と、このヘッドパイプ２１から後下がりに延びる左右一対のダウンフレーム２７と、これらのダウンフレーム２７どうしの間に介装した二つのクロスメンバ２８，２９とから構成され、いわゆるグラビティ鋳造によって成形されて前記各部が一体に形成されている。このグラビティ鋳造とは、溶湯を重力によって金型内に充填する鋳造法のことである。
【００１８】
前記ダウンフレーム２７は、図９に示すように、横断面が閉形状となる箱状に形成されている。また、前記二つのクロスメンバ２８，２９のうちヘッドパイプ２１側に位置する前側クロスメンバ２８は、図３に示すように、縦断面が閉形状となるように形成され、他方の後側クロスメンバ２９は、断面へ字状に形成されている。両ダウンフレーム２７における前記後側クロスメンバ２９の近傍には、後述する下部フレーム２４の前端部を取付けるための取付座３０が設けられている。
【００１９】
上部フレーム２３の後側半部２６は、図５および図６に示すように、車幅方向の両端部において車体の前後方向へ延びる左側前後方向延在部３１および右側前後方向延在部３２と、これらの前後方向延在部３１，３２どうしを前端部と中央部と後端部とで接続する第１〜第３のクロスメンバ３３〜３５とから構成されており、真空ダイキャスト法によって成形されて前記各部が一体に形成されている。
【００２０】
前記左右の前後方向延在部３１，３２は、車体の前後方向の中央部にそれぞれ後述する動力ユニット支持用リンク５を介して動力ユニット３の前部が上下方向に揺動自在に連結され、車体左側の前後方向延在部３１の後端部には、リヤクッションユニットの上端部を接続するためのクッションユニット用ブラケット３６が設けられている。また、左右の前後方向延在部３１，３２の前端部には、後述する下部フレーム２４の中途部分を接続するためのブラケット３７が下方に突出するように設けられている。
【００２１】
前記後側半部２６の左側前後方向延在部３１と右側前後方向延在部３２とを接続する第１〜第３のクロスメンバ３３〜３５のうち両前後方向延在部３１，３２の前端部どうしを接続する第１のクロスメンバ３３と、中央部どうしを接続する第２のクロスメンバ３４は、これらの間にヘルメットを収納可能な大型の収納ボックス（図示せず）を装着することができるように形成されている。
すなわち、第１のクロスメンバ３３の後面は、車幅方向の中央部に向かうにしたがって次第に前方に位置するように形成され、第２のクロスメンバ３４の前面は、車幅方向の中央部が両端部より後方に位置するように形成されている。なお、前記収納ボックスは、従来のスクータに搭載されるものと同等の構造を採っており、シート９によって上端の開口が開閉されるものである。
左右の前後方向延在部３１，３２の後端部どうしを接続する第３のクロスメンバ３５は、図１２に示すように、上方に向けて開口する箱状に形成されており、図示していないバッテリーが収納されている。
【００２２】
前記左右の前後方向延在部３１，３２と第１〜第３のクロスメンバ３３〜３５からなる後側半部２６は、図５中に符号Ａで示す範囲にある前部と、同図中に符号Ｂで示す範囲にある後部とで異なる金型を使用して成形されている。後側半部２６の前部は、車幅方向に分割する金型によって成形され、後部は、上下方向に分割する金型によって成形されている。このため、左右の前後方向延在部３１，３２の前部は、図１０に示すように、側方に向けて開放するコ字状に形成され、後部は、図１１に示すように、下方に向けて開放するコ字状に形成されている。
【００２３】
このように分割方向の異なる金型によって後側半部２６を成形することにより、前後方向延在部３１，３２の前部における横方向の剛性を向上させることができ、後部における縦方向の剛性を向上させることができる。前後方向延在部３１，３２の前部の横方向の剛性を向上させているのは、この前部は、前記前側半部２５の二つのダウンフレーム２７に接続されるとともに、動力ユニット３の前部を接続しており、コーナリング時などでは主に横方向に荷重が加えられるからである。
【００２４】
前後方向延在部３１，３２の前部に接続する前側半部２５のダウンフレーム２７は後下がりに延びており、このダウンフレーム２７に前後方向延在部３１，３２の前端部が上下方向に強固に支持されるから、前側半部２５と後側半部２６とを組み合わせることによって、ねじり方向の剛性が高い上部フレーム２３を形成することができる。この実施の形態では、前記前後方向延在部３１，３２のみにおいてもねじり方向の剛性が高くなるように、断面横向きコ字状の前部におけるコの字の内側に、側面視においてＸ字状の補強用リブ３８（図１，３，１０，１２参照）が一体に形成されている。
【００２５】
また、前後方向延在部３１，３２の後部において、縦方向の剛性を向上させているのは、この後部は、リヤクッションユニット１５からクッション反力が加えられるからである。この結果、リヤクッションユニット１５から後側半部２６に加えられるクッション反力の許容値を増大させることができる。この実施の形態では、図１１に示すように、前後方向延在部３１，３２の後部の上面に溝３９を形成するように縦壁４０，４１が突設されている。この溝３９によって縦方向の剛性をさらに向上させることができるとともに、この溝３９に、バッテリーやテールランプなどの他の電装品に接続するケーブル４２を収納することができる。
【００２６】
本発明に係る動力ユニット支持装置を構成する動力ユニット支持用リンク５は、図５，６および図１３，１４に示すように、前記左右の前後方向延在部３１，３２の車体内側の近傍にそれぞれ配置され、両前後方向延在部３１，３２に二つずつ設けた円筒状ボス５１，５２に後述するダンパーゴム５３，５４を介してそれぞれ弾性支持されている。
【００２７】
この実施の形態においては、このリンク５は、打ち抜き加工によって板状に形成された側板５８，５９と、これらの側板５８，５９の長手方向の両端部と中途部との三箇所に溶接された引き抜き材からなるボス５５〜５７とによって形成されている。
前記円筒状ボス５１，５２は、車体フレーム４の後側半部２６にリンク５の側方で上下方向に延びるように延設された延設部２６ａ（図５参照）に形成され、上下方向に並ぶとともに、上側のボス５１が下側のボス５２より車体前側に位置するように形成されている。
【００２８】
このスクータにおいては、前記二つの円筒状ボス５１，５２は、図１５に示すように、後輪２の接地点Ｐから動力ユニット３の重心Ｇを通って延びる仮想線Ｌに沿う位置に形成されている。また、これらの円筒状ボス５１，５２に支持されたリンク５の揺動端部も前記仮想線Ｌに沿う位置に配設されている。すなわち、このスクータ１は、リンク５と車体フレーム４との連結部と、リンク５と動力ユニット３との連結部と、後輪２の接地点Ｐとが側面視において略一直線上に並ぶように構成されており、リンク５は、この実施の形態では後下がりに延びるように傾斜されている。
【００２９】
リンク５の三箇所のボス５５〜５７のうち、前記揺動基部を構成する上端部のボス５５と、中途部のボス５６には、図１３に示すように、フレーム連結用の支軸６１，６２が車体外側へ向けて突出するようにそれぞれ立設され、前記揺動端部を構成する下端部のボス５７には、動力ユニット連結用の支軸６３が挿通されている。前記支軸６１，６２が本発明に係るリンク５と車体フレーム４との連結部Ｊ１（図１５参照）を構成し、前記支軸６２が本発明に係るリンク５と動力ユニット３との連結部Ｊ２（図１５参照）を構成している。
【００３０】
前記フレーム連結用の前記支軸６１，６２は、ボルトからなり、リンク５のボス５５，５６を貫通するとともに、車体フレーム４の前記円筒状ボス５１，５２をも貫通して頭部が側方に突出しており、前記円筒状ボス５１，５２の内部に設けたダンパーゴム組立体６４，６５の中心部をリンク５に締結させている。
これらのダンパーゴム組立体６４，６５は、図１３および図１４に示すように、前記支軸６１，６２が嵌入されてリンク５に締結される内筒６６，６７と、前記円筒状ボス５１，５２の内周面に圧入された外筒６８，６９と、これらの内筒６６，６７と外筒６８，６９との間に介装された前記ダンパーゴム５３，５４とによって構成されている。
【００３１】
ダンパーゴム５３，５４は、前記内筒６６，６７と外筒６８，６９の間に充填された状態で凝固され、内筒６６，６７の外周面と外筒６８，６９の内周面とに接着されている。すなわち、このダンパーゴム組立体６４，６５を円筒状ボス５１，５２に圧入するとともに、支軸６１，６２でリンク５に締結させることによって、リンク５より車体の外側に位置するダンパーゴム５３，５４を介してリンク５が車体フレーム４に弾性支持される。
【００３２】
また、前記ダンパーゴム５３，５４には、図１４に示すように、軸心部の二箇所に溝７１が側面視において点対称になるように形成されている。この溝７１は、ダンパーゴム５３，５４の軸線方向（車体の左右方向）に沿って一方の端面から他方の端面に延びるように形成されている。このように溝７１をダンパーゴム５３，５４に形成することにより、ダンパーゴム５３，５４の弾発力は、これらの溝７１と対応する部位で相対的に小さくなる。
【００３３】
上側の円筒状ボス５１，５２に装着したダンパーゴム５３，５４の溝７１は、リンク５の長手方向に沿って並ぶように形成され、下側の円筒状ボス５１，５２に装着したダンパーゴム５３，５４の溝７１は、リンク５の長手方向とは略直交する方向に並ぶように形成されている。このため、上側のダンパーゴム５３，５４は、リンク５の長手方向に対する弾発力が相対的に小さくなり、下側のダンパーゴム５３，５４は、リンク５の長手方向とは略直交する方向に対して弾発力が相対的に小さくなる。
【００３４】
このように溝７１をダンパーゴム５３，５４に形成することにより、リンク５の揺動端部にその長手方向とは略直交する方向（図１４中に矢印Ｒで示す）に荷重が加えられたときに、上側のダンパーゴム５３においては同方向へは弾発力が相対的に大きくなり、下側のダンパーゴム５４においては弾発力が相対的に小さくなることから、リンク５が揺動基部を中心として車体の前後方向に揺動し易くなる。
【００３５】
リンク５の揺動端部に設けられた動力ユニット連結用の支軸６３は、ボルトからなり、図１３に示すように、両リンク５，５どうしの間に介装した二つの筒状スペーサ７２，７３を貫通して車体左側のリンク５から車体右側のリンク５に延びており、両リンク５と前記スペーサ７２，７３とを締結させている。このため、車体左側のリンク５と車体右側のリンク５とが動力ユニット連結用の支軸６３によって互いに接続され、車体の前後方向からみて上方に向けて開放するコ字状のリンク組立体７４が形成されている。
【００３６】
前記スペーサ７２，７３は、動力ユニット３の連結用ブラケット７５（図１参照）に接続されるスリーブ７６がすべり軸受７７を介して回動自在に設けられている。すなわち、動力ユニット３は、前記スリーブ７６がスペーサ７２，７３に対して回動することにより、リンク５および車体フレーム４に対して上下方向に揺動する。
【００３７】
車体フレーム４の前記下部フレーム２４は、図７および図８に示すように、前記上部フレーム２３の下方で前後方向に延びる左右一対のパイプ８１，８２と、これらのパイプ８１，８２どうしの間に横架させた第１〜第４のクロスメンバ８３〜８６とから構成されている。
【００３８】
前記両パイプ８１，８２は、図７に示すように、下方に向けて凸になる山形状に形成され、前端部が上部フレーム２３の前側半部２５に固定用ボルト８７によって固定され、後端部が上部フレーム２３の後側半部２６に連結用ブラケット８８を介して固定されている。この連結用ブラケット８８は、パイプ８１，８２と同等の鉄系合金によって箱状に形成され、下端部がパイプ８１，８２に溶接されるとともに上端部が前記後側半部２６に固定用ボルト８９（図１参照）によって固定されている。
【００３９】
また、両パイプ８１，８２における下側で前後方向に延びる部分の前端部は、連結板９０が上方へ延びるように設けられており、この連結板９０と、前記後側半部２６の前端部に下方へ延びるように設けたブラケット３７とを図１に示すように固定用ボルト９１で締結させることによって、上部フレーム２３に支持されている。
これらの左右のパイプ８１，８２には、車体カバー１０の下部を支持するためのステー９２〜９４と、サイドスタンド支持用ステー９５などを溶接するとともに、図示していないブラケットを介してラジエータ９６を支持させている。
【００４０】
前記ラジエータ９６は、従来からよく知られているものと同等の横向き水流型のもので、図１および図７に示すように、前記両パイプ８１，８２の後下がりに延びる前端部の下方に前上方を指向するように傾斜させて配置されている。この実施の形態では、ラジエータ９６とエンジン１１との間の冷却水通路の一部を前記両パイプ８１，８２によって形成している。ラジエータとパイプ８１，８２とを接続する冷却水ホースを符号９７で示し、パイプ８１，８２とエンジン１１とを接続する冷却水ホースを符号９８（図１，８参照）で示す。
【００４１】
下部フレーム２４の前記両パイプ８１，８２どうしを接続する第１〜第４のクロスメンバ８３〜８６のうち第１〜第３のクロスメンバ８３〜８５は、鋼板によって形成され、第４のクロスメンバ８６は、パイプによって形成されている。また、第３のクロスメンバ８５は、図８に示すように、平面視においてＸ字状に形成され、前後、左右の四箇所が両パイプ８１，８２に溶接されている。この第３のクロスメンバ８５には、図１に示すように、燃料タンク９９を支持させている。この燃料タンク９９は、第３のクロスメンバ８５の上方であって前記収納ボックスとの間に形成される空間に収納されている。
第４のクロスメンバ８６は、車体の後方から見て下方に向けて凸になる山形状に形成され、車幅方向の中央部にメインスタンド用ブラケット１００が溶接されている。
【００４２】
上述したように構成されたスクータ１においては、エンジン運転時にはクランク軸１６とバランサ１７との間に偶力が生じることから、動力ユニット３に振動が生じる。この振動は、側面視において後輪２の接地点Ｐから動力ユニット３の重心Ｇを通って延びる仮想線Ｌとは略直交する方向に発生する。
この実施の形態によるスクータ１は、図１５に示すように、車体フレーム４とリンク５との連結部（支軸６１，６２により連結される二箇所）と、前記リンク５と動力ユニット３との連結部（支軸６３により連結される部分）とが、前記仮想線Ｌに沿うように配設されており、リンク５の長手方向が前記振動の方向に対して略直交するから、リンク５が動力ユニット３に追従して確実に揺動するようになる。
したがって、動力ユニット３からリンク５を介して車体フレーム４に伝達される振動は、リンク５が揺動することによって低減される。
【００４３】
また、このスクータ１は、リンク５と車体フレーム４との連結部と、リンク５と動力ユニット３との連結部と、後輪２の接地点Ｐとが側面視において略一直線上に並ぶように構成されているから、後輪２から加えられる加速時の反力や減速時の反力などによって動力ユニット３が振動するときにも、リンク５が確実に揺動し、動力ユニット３からリンク５を介して車体フレーム４に伝達される振動が低減される。これは、後輪２から加えられる加速時の反力や減速時の反力などによって動力ユニット３が振動する場合にも、動力ユニット３は、後輪２の接地点Ｐを中心とする仮想円に沿う方向へ振動するからである。
【００４４】
【発明の効果】
以上説明したように本発明によれば、クランク軸とバランサとの間に偶力が生じることに起因して動力ユニットが振動するときの振動方向に対して、リンクの長手方向が略直交する方向になるから、リンクは、動力ユニットに追従して確実に揺動する。このため、動力ユニットの振動をリンクが揺動することによって減衰させることができ、振動が少ない乗り心地をより一層向上させることができる。
【００４５】
請求項２記載の発明によれば、後輪から加えられる加速時の反力や減速時の反力により動力ユニットが振動するときの振動方向とは略直交する方向にリンクが延び、リンクは、動力ユニットに追従して揺動するようになる。このため、動力ユニットの振動をリンクが揺動することによって減衰させることができ、振動が少ない乗り心地をより一層向上させることができる。
【図面の簡単な説明】
【図１】  本発明に係るスクータ型自動二輪車の側面図である。
【図２】  車体フレームの平面図である。
【図３】  上部フレームの前側半部の側面図である。
【図４】  上部フレームの前側半部の平面図である。
【図５】  上部フレームの後側半部の側面図である。
【図６】  上部フレームの後側半部の平面図である。
【図７】  下部フレームの側面図である。
【図８】  下部フレームの平面図である。
【図９】  図３における左側ダウンフレームのIX−IX線断面図である。
【図１０】  図５における車体左側の前後方向延在部のX−X線断面図である。
【図１１】  図５における車体左側の前後方向延在部のXI−XI線断面図である。
【図１２】  車体フレームの斜視図である。
【図１３】  図５におけるXIII−XIII線断面図である。
【図１４】  図１３におけるXIV−XIV線断面図である。
【図１５】  リンクを設ける位置を説明するための側面図である。
【符号の説明】
２…後輪、３…動力ユニット、４…車体フレーム、５…リンク、１６…クランク軸、１７…バランサ、２３…上部フレーム、２６…後側半部、５１，５２…円筒状ボス、５５〜５７…ボス、６１〜６３…支軸、Ｇ…重心、Ｌ…仮想線、Ｐ…接地点、Ｊ１，Ｊ２…連結部。
【図１】
0004377102.tif 000002
【図２】
0004377102.tif 000003
【図３】
0004377102.tif 000004
【図４】
0004377102.tif 000005
【図５】
0004377102.tif 000006
【図６】
0004377102.tif 000007
【図７】
0004377102.tif 000008
【図８】
0004377102.tif 000009
【図９】
0004377102.tif 000010
【図１０】
0004377102.tif 000011
【図１１】
0004377102.tif 000012
【図１２】
0004377102.tif 000013
【図１３】
0004377102.tif 000014
【図１４】
0004377102.tif 000015
【図１５】
0004377102.tif 000016